(57)【要約】【課題】  コンピューターや特殊なインターフェイスやソフトウェアを用いることなく、通常の市販のＤＶＤディスクに記憶されているリージョン情報でＤＶＤ再生装置等のリージョン情報更新することができるＤＶＤ再生装置等を提供する。【解決手段】  リージョン情報を更新した回数とリージョン情報を記憶した記憶部７と、リモコン又は本体のボタンの特定の操作によりリージョン情報を書き換えるための処理を開始するリージョン書換モード実行手段４と、記憶部７のリージョン情報更新回数を参照し、リージョン情報更新回数が所定の回数以下の場合に新たなリージョン情報の更新許可信号を出力する変更回数処理手段５と、変更回数処理手段５からリージョン情報更新許可信号を受信した場合に、リージョン情報を読み込むリージョン情報読込手段２と、該リージョン情報によって記憶部７のリージョン情報を更新しリージョン情報更新回数を一回増加させるリージョン情報更新手段６とを備えた。【選択図】  図１
2005293668.tif 000002
【特許請求の範囲】
【請求項１】
リージョン情報を更新した回数とリージョン情報を記憶した記憶部と、
リモコン又は本体のボタンの特定の操作によりリージョン情報を書き換えるための処理を開始するリージョン書換モード実行手段と、
リージョン情報を書き換える前に、前記記憶部のリージョン情報更新回数を参照し、前記リージョン情報更新回数が所定の回数に達していない場合に新たなリージョン情報の更新を許可する信号を出力する変更回数処理手段と、
前記変更回数処理手段からリージョン情報更新許可信号を受信した場合に、市販またはリージョン情報書換用のディスクからリージョン情報読み込むリージョン情報読込手段と、
前記リージョン情報読込手段が読み込んだリージョン情報によって前記記憶部のリージョン情報を更新し、リージョン情報更新回数を一回増加させるリージョン情報更新手段と、を有することを特徴とする市販またはリージョン情報書換用のディスクによってリージョン設定可能なＤＶＤ再生装置あるいはＤＶＤ録画再生装置。
【請求項２】
リージョン情報を更新した回数とリージョン情報を記憶した記憶部と、
市販またはリージョン情報書換用のディスクからリージョン情報を読み込むリージョン情報読込手段と、
前記リージョン情報読込手段が読み込んだリージョン情報と前記記憶部に記憶されているリージョン情報とを比較し、両者が一致する場合は一致信号を出力し、両者が一致しない場合は不一致信号を出力する比較判定手段と、
前記比較判定手段から前記不一致信号を受信したときにリージョン情報を書き換えるための処理を開始するリージョン書換モード実行手段と、
リージョン情報を書き換える前に、前記記憶部のリージョン情報更新回数を参照し、前記リージョン情報更新回数が所定の回数に達していない場合に新たなリージョン情報の更新を許可する信号を出力する変更回数処理手段と、
前記変更回数処理手段からリージョン情報更新許可信号を受信した場合に、
前記リージョン情報読込手段が読み込んだリージョン情報によって前記記憶部のリージョン情報を更新し、リージョン情報更新回数を一回増加させるリージョン情報更新手段と、を有することを特徴とする市販またはリージョン情報書換用のディスクによってリージョン設定可能なＤＶＤ再生装置あるいはＤＶＤ録画再生装置。
【発明の詳細な説明】
【技術分野】
【０００１】
本発明は、ＤＶＤ再生装置およびＤＶＤ録画再生装置のリージョン情報の設定・更新の技術に関し、特に、リージョンの指定を行なっている市販のディスクを用いてＤＶＤ再生装置およびＤＶＤ録画再生装置のリージョン情報を更新することができるＤＶＤ再生装置あるいはＤＶＤ録画再生装置に関する。
【背景技術】
【０００２】
ＤＶＤの再生装置あるいはＤＶＤ録画再生装置（以下「ＤＶＤの再生装置等」という）は、工場から出荷される段階で、再生することができるＤＶＤディスクのリージョン情報を設定されている。
【０００３】
リージョンコードとは、ＤＶＤの再生装置等の再生可能地域を限定するコードである。リージョン情報はリージョンコードを示すデータをいうものとする。
【０００４】
リージョンコードはＤＶＤ−Ｖｉｄｅｏ規格の最終統一段階で追加されたものであって、アメリカ映画業界が、海外での封切り前にＤＶＤでその映画が海外流出してしまい、興行収入に悪影響を及ぼすことを防止するために設けたものである。
【０００５】
リージョンコードは、ディスクとＤＶＤの再生装置等の双方に保持されており、再生前にＤＶＤ再生装置等とディスクのリージョンコードが照合され、両者のコードが一致しないと再生できないようになっている。
【０００６】
たとえば、ヨーロッパで再生するように製造されたＤＶＤディスクは、東南アジアで購入したＤＶＤ再生装置およびＤＶＤ再生装置等によっては再生することができないようになっている。
【０００７】
図４に、リージョンコード表を示す。図４に示すように、リージョンコードは放送の方式ＮＴＳＣ(National Television System)，ＰＡＬ(Phase Alternation by Line) により二種類存在しそれぞれの方式において六つのリージョンが存在する。
【０００８】
上記リージョン情報は一定の回数更新することができる。
【０００９】
これは、たとえば東南アジアで製造された装置を北米に搬入して使用するのに北米で販売されたＤＶＤディスクを再生できるように、初期設定することができるようにするためである。
【００１０】
従来のリージョン情報の更新は特定のソフトウェアとコンピューターによって行われていた。
【００１１】
図５は従来のリージョン情報の更新方法を示したものである。
【００１２】
図５に示すように、符号１５で示したＤＶＤ再生装置等は、リージョン情報を記憶した記憶部（Ｅ２ＰＲＯＭ(Electrical Erasable Programable ROM)）１６を有し、当該Ｅ２ＰＲＯＭ(Electrical Erasable Programable ROM)１６に記憶されたリージョン情報を更新する場合には、Ｅ２ＰＲＯＭが取り付けられたメインボードにピンを立て、そのピンにケーブル１７を接続し、インターフェイス１８を介してコンピューター１９に接続するようにしていた。
【００１３】
そして、コンピューター１９で特別なリージョン情報書換用のソフトウェアを起動し、ＤＶＤ再生装置等１５の記憶部１６に記憶されたリージョン情報を更新するようにしていた。
【特許文献１】特開２００１−８４６９３号公報
【発明の開示】
【発明が解決しようとする課題】
【００１４】
しかし、従来のＤＶＤ再生装置等は、リージョン情報の書き換えのために上述したような特別なインターフェイスとソフトウェアとコンピューターを必要とし、かつ、書き換えのためにはＤＶＤ再生装置等のメインボードにケーブルを接続する必要があった。
【００１５】
このような作業は、ＤＶＤ再生装置を製造する工程上及び、出荷後のアフターサービス上、労力と時間がかかるものであった。正当なリージョン情報の更新であれば、より簡単にリージョン情報の更新を行なえるようにするようにしたいという要望があった。
【００１６】
そこで、本発明が解決しようとする課題は、上記コンピューターや特殊なインターフェイスやソフトウェアを用いることなく、通常の市販のＤＶＤディスクに記憶されているリージョン情報でＤＶＤ再生装置等のリージョン情報更新及びリージョン設定ができるＤＶＤ再生装置等を提供することにある。
【００１７】
なお、「リージョン情報の更新」とは、設定してあったリージョン情報を変更することをいい、「リージョン設定」とは、製造工程ではＤＶＤ再生装置等のLOARDET(DECK)側は全仕向地で使用できるようにリージョン情報を書き込んでいない状態で製造される製品に対して最終的な製造ラインで出荷先に合わせてリージョン情報を書き込むことをいう。
【課題を解決するための手段】
【００１８】
本発明による市販のディスクによってリージョン設定可能なＤＶＤ再生装置あるいはＤＶＤ録画再生装置は、
リージョン情報を更新した回数とリージョン情報を記憶した記憶部と、
リモコン又は本体のボタンの特定の操作によりリージョン情報を書き換えるための処理を開始するリージョン書換モード実行手段と、
リージョン情報を書き換える前に、前記記憶部のリージョン情報更新回数を参照し、前記リージョン情報更新回数が所定の回数に達していない場合に新たなリージョン情報の更新を許可する信号を出力する変更回数処理手段と、
前記変更回数処理手段からリージョン情報更新許可信号を受信した場合に、市販のディスクからリージョン情報読み込むリージョン情報読込手段と、
前記リージョン情報読込手段が読み込んだリージョン情報によって前記記憶部のリージョン情報を更新し、リージョン情報更新回数を一回増加させるリージョン情報更新手段と、を有することを特徴とするものである。
【００１９】
また、本発明による市販のディスクによってリージョン設定可能なＤＶＤ再生装置あるいはＤＶＤ録画再生装置は、
リージョン情報を更新した回数とリージョン情報を記憶した記憶部と、
市販のディスクからリージョン情報読み込むリージョン情報読込手段と、
前記リージョン情報読込手段が読み込んだリージョン情報と前記記憶部に記憶されているリージョン情報とを比較し、両者が一致する場合は一致信号を出力し、両者が一致しない場合は不一致信号出力する比較判定手段と、
前記比較判定手段から前記不一致信号を受信したときにリージョン情報を書き換えるための処理を開始するリージョン書換モード実行手段と、
リージョン情報を書き換える前に、前記記憶部のリージョン情報更新回数を参照し、前記リージョン情報更新回数が所定の回数に達していない場合に新たなリージョン情報の更新を許可する信号を出力する変更回数処理手段と、
前記変更回数処理手段からリージョン情報更新許可信号を受信した場合に、
前記リージョン情報読込手段が読み込んだリージョン情報によって前記記憶部のリージョン情報を更新し、リージョン情報更新回数を一回増加させるリージョン情報更新手段と、を有することを特徴とするものである。
【発明の効果】
【００２０】
本発明のＤＶＤ再生装置およびＤＶＤ録画再生装置によれば、市販のＤＶＤディスクによってＤＶＤ再生装置等のリージョン情報を書き換えることができる。
【００２１】
これにより、製造工程上でオペレータが検査、あるいはアフターサービス時にサービスマンが検査または修理を実行するためにＤＶＤディスクを再生しようとしてリージョン情報の相違によって再生できないときは、リージョン情報を更新しようと思えば、特別に定められたリモコン又は本体のボタンの操作を行い、書き換えようとするリージョン情報が記録された市販のＤＶＤディスクをＤＶＤ再生装置等に入れることにより、ＤＶＤ再生装置等が自動的にリージョン情報の更新の可否（更新回数）を判定し、リージョン情報の更新が可能な場合には、前記ＤＶＤディスクに記録されたリージョン情報をＤＶＤ再生装置等の記憶部に上書き登録することができる。
【００２２】
このように、製造工程上でオペレータまたはアフターサービス時にサービスマンによる特別なボタン操作をする必要が無く、製造工程の負担が軽減される。ソフトウェアやインターフェイスを要することなく、再生したいと思うＤＶＤディスクをＤＶＤ再生装置等に入れることによってそのＤＶＤディスクを再生できるようにＤＶＤ再生装置等のリージョン情報を書き換えることができる。
【００２３】
ただし、リージョン情報の更新回数はカウントされており、この点で無制限にリージョン情報の更新を防止することができ、ＤＶＤビデオ規格の趣旨に反することはない。
【００２４】
本発明による他のＤＶＤ再生装置等は、ＤＶＤディスクを再生するときに、通常の再生処理のようにＤＶＤディスクのリージョン情報を読み込み、そのリージョン情報とＤＶＤ再生装置等のリージョン情報とが一致しない場合に、自動的にＤＶＤ再生装置等のリージョン情報の更新の可否を判定し、更新可能な場合には再生しようとするＤＶＤディスクのリージョン情報に合わせてＤＶＤ再生装置等のリージョン情報を更新することができる。
【００２５】
本発明によれば、ＤＶＤディスクの再生からＤＶＤ再生装置等のリージョン情報更新までユーザーによる特別なボタン操作をする必要がない。
【発明を実施するための最良の形態】
【００２６】
図１は本発明によるＤＶＤ再生装置等の１実施形態の構成を示している。  
本実施形態のＤＶＤ再生装置１は、リージョン情報読込手段２と、比較判定手段３と、リージョン書換モード実行手段４と、変更回数処理手段５と、リージョン情報更新手段６と、記憶部７と、再生制御手段８と、映像処理手段９と、報知手段１０と、ＯＳＤ処理部１１と、表示手段１２と、リモコン１３と有している。
【００２７】
リージョン情報読込手段２は、ＤＶＤディスク１４からリージョン情報を読み込む手段である。このリージョン情報読込手段２は、通常のＤＶＤ再生装置に備えられたものと同様のものである。
【００２８】
比較判定手段３は、ＤＶＤディスク１４に記録されたリージョン情報と、ＤＶＤ再生装置の記憶部７に記録されたリージョン情報とを比較し、両者が一致する場合は一致信号を出力し、両者が一致しない場合は不一致信号出力する手段である。
【００２９】
この比較判定手段３も通常のＤＶＤ再生装置に備えられたものであるが、本発明は比較判定手段３がリージョン情報不一致の信号を出力した時、リージョン書換モード実行手段４を起動する制御を行う場合がある点で通常のリージョン情報の比較判定手段と異なる。
【００３０】
変更回数処理手段５は、リージョン情報を書き換える前に、記憶部７のリージョン情報の更新回数を参照し、リージョン情報更新回数が所定の回数に達していない場合は新たなリージョン情報の更新を許可する信号を出力し、リージョン情報更新回数がすでに所定の回数に達している場合は新たなリージョン情報の更新を禁止する信号を出力する手段である。
【００３１】
リージョン情報更新手段６は、記憶部７に記憶されたリージョン情報を更新し書き換える手段である。
【００３２】
再生制御手段８と映像処理手段９は映像の再生と処理を行なう手段であって、通常のＤＶＤ再生装置に備えられた再生手段と映像処理手段と同様のものである。
【００３３】
報知手段１０は比較判定手段３によりＤＶＤディスク１４とＤＶＤ再生装置１のリージョン情報が一致しない信号を受信したときに、リージョン情報が不一致であることを表示手段１２に表示させる手段である。
【００３４】
ＯＳＤ処理部１１は、メッセージの表示位置やサイズなど、設定項目の選択や調整の状態を画面上で確認しながら調整できる機能の画像処理手段である。
【００３５】
表示手段１２は画像を表示する手段である。  
本発明において表示手段１２はＤＶＤ再生装置１と一体に形成されていてもよく、ＤＶＤ再生装置１と分離して形成されていてもよい。  
以上が本実施形態のＤＶＤ再生装置１の構成である。
【００３６】
図２は、ＤＶＤディスクのリージョン情報の記録場所を示したものである。  
図２に示すように、ＤＶＤディスク１４のデータ記録エリア３１の内側にリードインエリア３０があり、データ記録エリア３１の外側にリードアウトエリア３２がある。
【００３７】
リードインエリア３０の一部にＴＯＣ(Table of Content)があり、ＴＯＣの内部にリージョン情報が記録されている。
【００３８】
ＤＶＤ再生装置１は、図１に示す読取り手段（ピック）によってＤＶＤディスク１４にアクセスし、必ず初めにリードインエリア３０からリージョン情報を読み込むようになっている。
【００３９】
図３は本発明によるＤＶＤ再生装置等のリージョン情報の更新の流れを示している。  
図３に示すように、本発明によるＤＶＤ再生装置等のリージョン情報の更新は、リージョン書換モードの起動によって開始される。
【００４０】
リージョン書換モードの起動は２種類の方法によって可能である。
【００４１】
一つは比較判定手段３によるリージョン情報の不一致の信号によって開始される（ステップ１００）。
【００４２】
すなわち、リージョン情報読込手段２がＤＶＤディスク１４のリージョン情報を読み込み、比較判定手段３が記憶部７に記憶されたリージョン情報と比較し、両者が不一致の場合にリージョン情報不一致の信号を出力し、その信号の入力によってリージョン書換モードが開始される。リージョン書換モードの開始はリージョン書換モード実行手段４の起動によって開始される。
【００４３】
もう一つのリージョン書換モードの起動は、製造工程上でオペレータまたはアフターサービス時にサービスマンが意図的にリモコン１３やＤＶＤ再生装置１の本体のボタンを操作することによって開始される（ステップ１１０）。
【００４４】
この場合には、特別なボタン操作、例えばリモコン１３や本体の複数のボタンを同時に押すなど特別な操作がされたことによってリージョン書換モードが開始される。
【００４５】
ステップ１１０に続いて最初にトレイにリージョン情報書換に使用するＤＶＤディスク１４が入れられているか否かを判定する（ステップ１２０）。
【００４６】
トレイにＤＶＤディスク１４が入れられていなければステップ１２０の処理が繰り返される。なお、トレイにＤＶＤディスク１４が入れられていない場合はメッセージを適宜表示させるのが好ましい。
【００４７】
トレイにＤＶＤディスク１４が入れられていることが検出されると、次にリージョン情報読込手段２によりそのＤＶＤディスク１４のリードインエリア内のＴＯＣのリージョンデータを読み込む（ステップ１３０）。
【００４８】
なお、ステップ１００によってリージョン書換モードが開始された場合にはすでにリージョン情報は読み込むれている状態なのでステップ１２０，ステップ１３０による処理は必要がない。
【００４９】
以上のリージョン書換モードの開始のいずれの場合でも、次に変更回数処理手段５により、リージョン情報変更回数が規定値以内か否か判定される（ステップ１４０）。
【００５０】
上記リージョン情報変更回数は記憶部７に記憶されており、変更回数処理手段５は記憶部７にアクセスしてリージョン情報変更回数の情報を取得してステップ１４０の判定を行う。
【００５１】
リージョン情報変更回数が規定値以内ならば、リージョン情報更新手段６を起動する（ステップ１５０）。一方、リージョン情報変更回数がすでに所定の回数に達しているときは、報知手段１０によりリージョン情報の書き換えができないことをＯＳＤ処理部１１を介して表示手段１２に表示させる（ステップ１９０）。ステップ１９０の表示をした場合はその後続いてリージョン書換モードを終了する（ステップ１８０）。
【００５２】
ステップ１４０においてリージョン情報変更回数が規定値以内と判定されたなら、リージョン情報更新手段６を起動する（ステップ１５０）。起動されたリージョン情報更新手段６は記憶部７に記憶されたリージョン情報を書き換える、すなわち、リージョン情報読込手段２が読み込んだリージョン情報を記憶部７のＥ２ＰＲＯＭ(Electrical Erasable Programable ROM)に格納する（ステップ１６０）。
【００５３】
なお、リージョン情報更新手段６は、記憶部７に記憶されたリージョン情報を書き換えると変更回数が１回増すようにリージョン情報変更回数を更新する。
【００５４】
記憶部７のリージョン情報が正常に書き換えられると、記憶部７のリージョン情報が正常に書き換えられたことを報知手段１０がＯＳＤ処理部１１を介して表示手段１２に表示させ（ステップ１７０）、リージョン書換モードを終了する（ステップ１８０）。
【００５５】
以上の処理により、製造工程上でオペレータまたはアフターサービス時にサービスマンがリージョン設定またはリージョン情報の更新をしようと思えば、特別に定められたリモコン又は本体のボタンの操作を行い、書き換えようとするリージョン情報が記録された市販のＤＶＤディスクをＤＶＤ再生装置等に入れることにより、自動的にリージョン情報更新の可否（更新回数）が判定され、前記ＤＶＤディスクに記録されたリージョン情報がＤＶＤ再生装置等の記憶部に上書きされる（ステップ１１０〜１８０）。
【００５６】
一方、製造工程上でオペレータまたはアフターサービス時にサービスマンが検査またはリージョン設定の目的でリージョン情報を有するＤＶＤディスクを再生しようとしてリージョン情報が相違して再生できないときは、自動的に当該ＤＶＤディスクに記録されたリージョン情報がＤＶＤ再生装置等の記憶部に上書きされる（ステップ１００〜１８０）。なお、この場合、リージョン情報が相違して再生できないと判定されたときに、ユーザーにリージョン情報を書き換えるか否か確認し、ユーザーが書き換えのための操作を行ったときにはじめてリージョン情報を書き換えるのが好ましい。
【００５７】
いずれにしても、本発明によれば、ＤＶＤ再生装置等のメインボードにケーブルを接続し、特殊なインターフェースを介してコンピューターに接続し、専用のソフトウェアを起動させる必要がない。
【００５８】
なお、上記例では、リージョン情報を書き換えるための媒体として市販のＤＶＤディスクを用いているが、またはリージョン情報書換用のディスクを用いる場合も本発明の範囲内である。また、ＤＶＤディスクに限られず、ＣＤを用いる場合も本発明の範囲内である。
【図面の簡単な説明】
【００５９】
【図１】本発明の一実施形態によるＤＶＤの再生装置あるいはＤＶＤ録画再生装置の構成を示したブロック図。
【図２】ＤＶＤディスクにおけるリージョン情報の記録場所を示した図。
【図３】本発明によるＤＶＤの再生装置あるいはＤＶＤ録画再生装置のリージョン情報の書換のための処理の流れを示したフローチャート。
【図４】リージョン情報を示した図。
【図５】従来のＤＶＤの再生装置あるいはＤＶＤ録画再生装置のリージョン情報の書換の方法を示した図。
【符号の説明】
【００６０】
１  ＤＶＤ再生装置
２  リージョン情報読込手段
３  比較判定手段
４  リージョン書換モード実行手段
５  変更回数処理手段
６  リージョン情報更新手段
７  記憶部
８  再生手段
９  映像処理手段
１０  報知手段
１１  ＯＳＤ処理部
１２  表示手段
１３  リモコン
１４  ＤＶＤディスク
【図１】
2005293668.tif 000003
【図２】
2005293668.tif 000004
【図３】
2005293668.tif 000005
【図４】
2005293668.tif 000006
【図５】
2005293668.tif 000007